(57)【要約】【課題】複数のワイヤレスマイクのうち、最も必要性が高いと思われるワイヤレスマイクを自動で選択する。【解決手段】ワイヤレスマイクからの無線信号を受信する無線信号受信手段と、ワイヤレスマイクとの距離を取得する距離取得手段と、前記複数のワイヤレスマイクとの距離に基づいて、前記距離取得手段によって得られた距離の大きい順に、一定数以下のワイヤレスマイクを選択し、前記選択されたワイヤレスマイクからの音声信号を記録する記録手段とを有する。【選択図】図１
2016009950.tif 000002
【特許請求の範囲】
【請求項１】
ワイヤレスマイクからの無線信号を受信する無線信号受信手段と、
ワイヤレスマイクとの距離を取得する距離取得手段と、
前記複数のワイヤレスマイクとの距離に基づいて、前記距離取得手段によって得られた距離の大きい順に、一定数以下のワイヤレスマイクを選択し、前記選択されたワイヤレスマイクからの音声信号を記録する記録手段とを有することを特徴とする音声処理装置。
【請求項２】
ワイヤレスマイクからの無線信号を受信する無線信号受信手段と、
ワイヤレスマイクとの距離を取得する距離取得手段と、
前記複数のワイヤレスマイクとの距離に基づいて、前記距離取得手段によって得られた距離が予め決められた一定距離以内に位置する、一定数以下のワイヤレスマイクを選択し、前記選択されたワイヤレスマイクからの音声信号を記録する記録手段とを有することを特徴とする音声処理装置。
【請求項３】
ワイヤレスマイクからの無線信号を受信する無線信号受信手段と、
ワイヤレスマイクとの距離を取得する距離取得手段と、
撮像手段と、
フォーカス調整手段と、
前記フォーカス調整手段から得られる現在フォーカス距離と、前記距離取得手段から得られる距離とが近い順に一定数以下のワイヤレスマイクを選択し、前記選択されたワイヤレスマイクからの音声信号を記録する記録手段とを有することを特徴とする音声処理装置。
【請求項４】
ワイヤレスマイクからの無線信号を受信する無線信号受信手段と、
ワイヤレスマイクとの距離を取得する距離取得手段と、
撮像手段と、
撮像方向取得手段と、
ワイヤレスマイクの位置を取得する位置取得手段と、
前記撮像手段の画角内に位置する複数ワイヤレスマイクのうちから一定数以下のワイヤレスマイクを選択し、前記選択されたワイヤレスマイクからの音声信号を記録する記録手段とを有することを特徴とする音声処理装置。
【発明の詳細な説明】
【技術分野】
【０００１】
本発明は、音声処理装置に関する。
【背景技術】
【０００２】
従来、外部のマイクからの音声信号を無線により転送して録音可能なデジタルビデオカメラがある。外部のマイクは送信部を備え、デジタルビデオカメラは受信部を備える。マイクの収音可能領域は、見通し距離約３０ｍであり、被写体が遠いときや、周囲の音が大きいときも、ワイヤレスマイクで被写体の音声をしっかり記録することができる。
【０００３】
このようなワイヤレスマイクの音声信号を受信する装置として、特許文献１では、無線信号受信手段をスピーカに近接して配置し、無線信号受信手段による受信強度を検出し、検出した受信強度が過大になった際、受信復調増幅手段の動作を抑圧または禁止するワイヤレスマイク拡声装置が開示されている。
【先行技術文献】
【特許文献】
【０００４】
【特許文献１】特開２００６−２８７７５２公報
【発明の概要】
【発明が解決しようとする課題】
【０００５】
上述の特許文献に開示された従来技術は、ワイヤレスマイクをスピーカに近接させた際のハウリング発生を防止することを課題としている。
【０００６】
一方、複数の外部のワイヤレスマイクに対して、同時に録音可能なワイヤレスマイクの数に限定がある音声録音装置の場合、録音対象のワイヤレスマイクを手動で選択するのは煩雑である。
【０００７】
そこで、本発明は、複数のワイヤレスマイクのうち、最も必要性が高いと思われるワイヤレスマイクを自動で選択することを目的とする。
【課題を解決するための手段】
【０００８】
本発明に係る音声処理装置の構成は、ワイヤレスマイクからの無線信号を受信する無線信号受信手段と、ワイヤレスマイクとの距離を取得する距離取得手段と、前記複数のワイヤレスマイクとの距離に基づいて、前記距離取得手段によって得られた距離の大きい順に、一定数以下のワイヤレスマイクを選択し、前記選択されたワイヤレスマイクからの音声信号を記録する記録手段とを有することを特徴とする。
【発明の効果】
【０００９】
本発明によれば、複数のワイヤレスマイクのうち、最も必要性が高いと思われるワイヤレスマイクを自動で選択することが可能となる。
【図面の簡単な説明】
【００１０】
【図１】本発明の音声録音装置およびワイヤレスマイクのブロック構成図の例である。
【図２】本発明の実施例１の音声録音装置のフローチャートである。
【図３】本発明の無線による距離の測定方法を示す図である。
【図４】本発明の実施例２の音声録音装置のフローチャートである。
【図５】本発明の音声録音装置およびワイヤレスマイクのブロック構成図の例である。
【図６】本発明の実施例３の音声録音装置のフローチャートである。
【図７】本発明のワイヤレスマイクがカメラの画角内に位置するかどうかを判断する方法を示す図である。
【図８】本発明の実施例４の音声録音装置のフローチャートである。
【発明を実施するための形態】
【００１１】
以下に、本発明の好ましい実施の形態を、添付の図面に基づいて詳細に説明する。図１は、本発明の各実施形態を適用可能な音声録音機能付きカメラ１００およびワイヤレスマイク２００の構成の一例を示す。
【００１２】
図１において、内部バス１０９に対してＣＰＵ１０１、メモリ１０２、入力部１０３、撮像画像処理部１０４、撮像部１０５、表示制御部１０６、ディスプレイ１０７、無線通信Ｉ／Ｆ（インターフェース）１０８、記録部１１０が接続される。内部バス１０９に接続される各部は、内部バス１０９を介してお互いにデータのやりとりを行うことができるようにされている。
【００１３】
メモリ１０２は、たとえばＲＡＭ（Ｒａｎｄｏｍ  Ａｃｃｅｓｓ  Ｍｅｍｏｒｙ）である。ＣＰＵ１０１は、メモリ１０２上に置かれるプログラムに従い、メモリ１０２をワークメモリとして利用し、内部バス１０９に接続される各部を制御する。
【００１４】
入力部１０３は、ユーザ操作を受け付け、操作に応じた制御信号を生成し、ＣＰＵ１０１に供給する。入力部１０３は、ユーザ操作を受け付ける入力デバイスとして、ボタンやタッチパネルといったポインティングデバイスなどを有する。なお、タッチパネルは、たとえば平面的に構成された入力部に対して接触された位置に応じた座標情報が出力されるようにした入力デバイスである。ＣＰＵ１０１は、入力デバイスに対してなされたユーザ操作に応じて入力部１０３で生成され供給される制御信号に基づき、プログラムに従い、内部バス１０９に接続される各部を制御する。これにより、カメラ１００に対して、ユーザ操作に応じた動作を行わせることができる。
【００１５】
撮像部１０５は、撮影レンズ、光学像を電気信号に変換するＣＣＤやＣＭＯＳ素子などで構成される。
【００１６】
撮像画像処理部１０４は、撮像部１０５から出力されるアナログの電気信号をデジタル信号に変換し、所定の画素補完、縮小といったリサイズ処理や色変換処理を行う。撮像画像処理部１０４により処理されたデジタル信号は、メモリ１０２に直接書き込まれる。メモリ１０２は、撮像部１０５によって得られ撮像画像処理部１０４によって処理された撮像画像データや、ディスプレイ１０７に表示するための付加画像データを格納する。
【００１７】
また、メモリ１０２は画像表示用のメモリ（ビデオメモリ）を兼ねている。メモリ１０２には、撮像部１０５によって得られ撮像画像処理部１０４によって処理された撮像画像データと付加画像データを合成した表示用の画像データが書き込まれ、表示制御部１０６によりディスプレイ１０７に表示される。
【００１８】
また、メモリ１０２は無線通信Ｉ／Ｆ１０８から受信したパケットを一時的に記録したり、圧縮された音声データを一時的に記録する際にも利用される。ＣＰＵ１０１は一時的に記録したパケットの内容を解析したり、圧縮された音声データをメモリ１０２から記録部１１０に転送することにより録音する。
【００１９】
表示制御部１０６は、ディスプレイ１０７に対して画像を表示させるための表示信号を出力する。たとえば、表示制御部１０６に対して、ＣＰＵ１０１がプログラムに従い生成した表示制御信号が供給される。表示制御部１０６は、この表示制御信号に基づき表示信号を生成してディスプレイ１０７に対して出力する。
【００２０】
無線通信インターフェース（Ｉ／Ｆ）１０８は、ＣＰＵ１０１の制御に基づき、無線ＬＡＮ等の公知の無線通信規格により、ワイヤレスマイク２００（、３００、４００）と無線通信をおこなう。無線通信Ｉ／Ｆ１０８は、ワイヤレスマイク２００から制御信号や音声信号を受信する。
【００２１】
記録部１１０は、フラッシュメモリやＨＤＤ（Ｈａｒｄ  Ｄｉｓｋ  Ｄｒｉｖｅ）、ＳＤカードといった不揮発性の記録媒体である。前記撮像画像データや音声データは、ＣＰＵ１０１により、記録部１１０に記録される。
【００２２】
一方、ワイヤレスマイク２００は、無線通信Ｉ／Ｆ２０１を備え、ワイヤレスマイク２００が受信した音声信号をカメラ１００に無線通信Ｉ／Ｆ２０１により送信する。ここで、無線通信Ｉ／Ｆ１０８と２０１は同じ無線通信規格であるとする。
【００２３】
本発明の音声録音機能付きカメラ１００は、同時に通信可能なワイヤレスマイクの数には限定があるものとする。すなわち、カメラ１００は限定された数のワイヤレスマイクとのみ同時に通信可能であり、かつ、同時に録音可能であるとする。これは、カメラ１００のリソースに限りがあるためである。たとえば、カメラ１００が１台のみのワイヤレスマイクからのみ通信可能であり、かつ、録音可能である場合、カメラ１００は録音対象として通信可能なワイヤレスマイク２００、３００、４００のうちの１台のワイヤレスマイクを選択する必要がある。ただし、カメラ１００の内部に音声録音手段がある場合、すなわち、カメラ１００が内蔵マイクを備えている場合、内蔵マイクからの音声と限定された数のワイヤレスマイクからの音声を同時に録音可能である。
【００２４】
以下、本発明のカメラ１００が録音対象のワイヤレスマイクを選択する方法について、実施例１〜４のパターンに分けて説明する。
【実施例１】
【００２５】
図２は、本発明の第１の実施例による、音声録音機能付きカメラ１００が録音対象のワイヤレスマイクを選択するフローチャートを示す図である。
【００２６】
ステップＳ２０１において、音声録音機能付きカメラ１００の電源がＯＮされると、ステップＳ２０２に進み、カメラ１００は無線通信可能なワイヤレスマイクを検索する。無線通信Ｉ／Ｆ１０８の方式によっては、カメラ１００とワイヤレスマイクは事前にペアリングされている必要がある。本実施例では、カメラ１００とワイヤレスマイク２００、３００、４００は事前にペアリングされており、お互いに通信可能であるとする。
【００２７】
次に、ステップＳ２０３に進み、カメラ１００と無線通信可能なワイヤレスマイクが複数ある場合、ステップＳ２０４に進み、１台だけの場合、ステップＳ２０７に進む。
ステップＳ２０４では、カメラ１００は無線通信Ｉ／Ｆ１０８により各ワイヤレスマイクとの距離を測定する。
【００２８】
ここで、図３を用いて、無線通信Ｉ／Ｆ１０８およびワイヤレスマイク２００の無線通信Ｉ／Ｆ２０１がブルートゥースの場合の距離の測定方法を説明する。
【００２９】
図３は、カメラ１００とワイヤレスマイク２００との無線通信のやり取りを示す図である。カメラ１００は無線通信Ｉ／Ｆ１０８からブロードキャスト通信または送信先を特定して一定のリクエストを送信する。ワイヤレスマイク２００が無線通信Ｉ／Ｆ２０１からリクエストを受信すると、ワイヤレスマイク２００は内部処理後に送信元のカメラ１００に対してレスポンスを送信する。この際、ワイヤレスマイク２００がリクエストを受けた後に内部処理に要した時間ｄをデータとしてレスポンス内に内包して返す。この一連の処理に要する時間ｔから、ワイヤレスマイク２００の内部処理に要した時間ｄを引き、導出した値を２で割るとワイヤレスマイク２００とカメラ１００間の通信時間が導出できる。この時間からワイヤレスマイク２００とカメラ１００間との距離を測定することができる。
【００３０】
こうして、カメラ１００と無線通信可能なワイヤレスマイク２００、３００、４００それぞれとの距離Ｌ１、Ｌ２、Ｌ３を測定する。
【００３１】
次に、ステップＳ２０５に進み、ステップＳ２０４で測定した各ワイヤレスマイクとの距離Ｌ１、Ｌ２、Ｌ３について、一定距離Ｌより大きいワイヤレスマイクを選択対象から除外する。Ｌ１、Ｌ２、Ｌ３すべてＬより小さい場合、Ｌ１、Ｌ２、Ｌ３の中で最も大きい値に相当するワイヤレスマイクを選択する。すなわち、最もカメラ１００からの距離が離れているワイヤレスマイクを選択する。また、Ｌ１，Ｌ２、Ｌ３のうち、Ｌ３はＬより大きい場合、Ｌ３を除外し、Ｌ１とＬ２で大きい値に相当するワイヤレスマイクを選択する。
【００３２】
ここで、一定距離Ｌはあらかじめ無線通信方式に基づいて決められる距離であり、距離Ｌ以内にあれば無線通信における音声信号の品質が損なわれないと見積もられる距離である。
【００３３】
次に、ステップＳ２０６に進み、カメラ１００の録音開始が入力部１０３により指示されると、ステップＳ２０７に進み、ステップＳ２０５で選択したワイヤレスマイク１台からの音声を受信し、記録部１１０に録音する。
【００３４】
なお、本実施例ではカメラ１００が同時に通信および録音可能なワイヤレスマイクの数は１台の場合を説明しているが、複数台（たとえばｎ台）の場合は、ステップＳ２０３において、無線通信可能なワイヤレスマイクがｎ台より多くある場合、ステップＳ２０４に進み、ｎ台以下の場合、ステップＳ２０７に進めばよい。また、ステップＳ２０５において、一定距離Ｌ以内のワイヤレスマイクの中で距離が最も大きい順にｎ台のワイヤレスマイクを録音対象として選択すればよい。
【００３５】
以上説明したように、本実施例の音声録音機能付きカメラ１００では、あまりに遠くに位置するワイヤレスマイクからは音声信号が正確に受信できないため録音の必要性が低いと判断した。さらに、近くに位置するワイヤレスマイクの音声信号は内蔵マイクで録音可能であるため録音の必要性が低いと判断した。よって、一定距離以内の通信可能なワイヤレスマイクのうち、最も距離の大きいワイヤレスマイクを録音対象として自動で選択した。
【実施例２】
【００３６】
図４は、本発明の第２の実施例による、音声録音機能付きカメラ１００が録音対象のワイヤレスマイクを選択するフローチャートを示す図である。
【００３７】
ステップＳ４０１において、音声録音機能付きカメラ１００の電源がＯＮされると、ステップＳ４０２に進み、カメラ１００は無線通信可能なワイヤレスマイクを検索する。無線通信Ｉ／Ｆ１０８の仕様によっては、カメラ１００とワイヤレスマイクは事前にペアリングされている必要がある。本実施例では、カメラ１００とワイヤレスマイク２００、３００、４００は事前にペアリングされており、お互いに通信可能であるとする。
【００３８】
次に、ステップＳ４０３に進み、カメラ１００と無線通信可能なワイヤレスマイクが複数ある場合、ステップＳ４０４に進み、１台だけの場合、ステップＳ４０７に進む。
【００３９】
ステップＳ４０４では、カメラ１００は無線通信Ｉ／Ｆ１０８により各ワイヤレスマイクとの距離を測定する。測定方法は、実施例１で説明したとおりである。
【００４０】
次に、ステップＳ４０５に進み、カメラ１００が得る撮像部１０５の現在フォーカス距離と各ワイヤレスマイクの距離を比較する。前記フォーカス距離と最も近い距離を持つワイヤレスマイクを選択する。
【００４１】
以上より最もフォーカスが合っているワイヤレスマイクを選択する。
【００４２】
次に、ステップＳ４０６に進み、カメラ１００の録音開始が入力部１０３により指示されると、ステップＳ４０７に進み、ステップＳ４０５で選択したワイヤレスマイク１台からの音声を受信し、記録部１１０に録音する。
【００４３】
なお、本実施例ではカメラ１００が同時に通信および録音可能なワイヤレスマイクの数は１台の場合を説明しているが、複数台（たとえばｎ台）の場合は、ステップＳ４０３において、無線通信可能なワイヤレスマイクがｎ台より多くある場合、ステップＳ４０４に進み、ｎ台以下の場合、ステップＳ４０７に進めばよい。また、ステップＳ４０５において、前記フォーカス距離と最も近い順にｎ台のワイヤレスマイクを録音対象として選択すればよい。
【００４４】
以上説明したように、本実施例の音声録音機能付きカメラ１００では、ワイヤレスマイクにフォーカスが合っていない場合、録音の必要性が低いと判断し、フォーカスの最も合っている通信可能なワイヤレスマイクを録音対象として自動で選択した。
【実施例３】
【００４５】
図５は、本発明の第３の実施例による、音声録音機能付きカメラ１００およびワイヤレスマイク２００の構成の一例を示す。
【００４６】
カメラ１００のＣＰＵ１０１、メモリ１０２、入力部１０３、撮像画像処理部１０４、撮像部１０５、表示制御部１０６、ディスプレイ部１０７、無線通信Ｉ／Ｆ１０８、内部バス１０９、記録部１１０については、既に説明したとおりである。
【００４７】
ＧＰＳ（Ｇｌｏｂａｌ  Ｐｏｓｉｔｉｏｎｉｎｇ  Ｓｙｓｔｅｍ）取得部１１１は、ＧＰＳ衛星からの信号を受け取り、カメラ１００の現在位置を受信する。
【００４８】
撮像方向検知部１１２は、センサーにより、カメラ１００の撮像方向を検出してＣＰＵ１０１に知らせる。
【００４９】
一方、ワイヤレスマイク２００は、無線通信Ｉ／Ｆ２０１を備え、ワイヤレスマイク２００が受信した音声信号をカメラ１００に無線通信Ｉ／Ｆ２０１により送信する。
【００５０】
また、ＧＰＳ（Ｇｌｏｂａｌ  Ｐｏｓｉｔｉｏｎｉｎｇ  Ｓｙｓｔｅｍ）取得部２０２を備え、ＧＰＳ衛星からの信号を受け取り、ワイヤレスマイク２００の現在位置を受信する。
【００５１】
図６は、本発明の第３の実施例による、音声録音機能付きカメラ１００が録音対象のワイヤレスマイクを選択するフローチャートを示す図である。
【００５２】
ステップＳ６０１において、音声録音機能付きカメラ１００の電源がＯＮされると、ステップＳ６０２に進み、カメラ１００は無線通信可能なワイヤレスマイクを検索する。無線通信Ｉ／Ｆ１０８の仕様によっては、カメラ１００とワイヤレスマイクは事前にペアリングされている必要がある。本実施例では、カメラ１００とワイヤレスマイク２００、３００、４００は事前にペアリングされており、お互いに通信可能であるとする。
【００５３】
次に、ステップＳ６０３に進み、カメラ１００と無線通信可能なワイヤレスマイクが複数ある場合、ステップＳ６０４に進み、１台だけの場合、ステップＳ６０７に進む。
【００５４】
ステップＳ６０４では、カメラ１００は無線通信Ｉ／Ｆ１０８により各ワイヤレスマイクとの距離を測定する。本実施例では、カメラ１００はＧＰＳ取得部１１１よりカメラ１００の位置情報を取得することが可能である。また、ワイヤレスマイク２００はＧＰＳ取得部２０２よりワイヤレスマイクの位置情報を取得することが可能である。よって、カメラ１００はワイヤレスマイク２００からＧＰＳ取得部２０２により取得したワイヤレスマイクの位置情報を受信することにより、カメラ１００とワイヤレスマイク２００の距離を測定することが可能となる。
【００５５】
次に、ステップＳ６０５に進み、カメラ１００の撮像方向検知部１１２により検知された撮像方向と、カメラ１００およびワイヤレスマイク２００のＧＰＳによる位置情報から、ワイヤレスマイク２００がカメラ１００の撮像部１０５の画角内に入っているかどうかを判別する。
【００５６】
ここで、図７を用いて、ワイヤレスマイク２００がカメラ１００の画角内に入っているかどうかを判別する方法を説明する。
【００５７】
ＧＰＳ取得部１１１により取得したカメラ１００の現在位置２０を（Ｘ１、Ｙ１）とする。また、ＧＰＳ取得部２０２により取得したワイヤレスマイク２００の位置２１を（Ｘ２、Ｙ２）とする。これより、カメラ１００から見たワイヤレスマイク２００の方向２３を（Ｘ２−Ｘ１、Ｙ２−Ｙ１）として導出可能である。ワイヤレスマイク２００の方向２３と、カメラ１００の撮像方向検知部１１２により検知された撮像方向２２の角度差が一定角度以内なら、カメラ１００の画角内にワイヤレスマイク２００が位置すると判断する。
【００５８】
以上よりカメラ１００の画角内に位置するワイヤレスマイクを選択対象として、選択対象の中から最もカメラ１００からの距離が離れているワイヤレスマイクを選択する。
【００５９】
次に、ステップＳ６０６に進み、カメラ１００の録音開始が入力部１０３により指示されると、ステップＳ６０７に進み、ステップＳ６０５で選択したワイヤレスマイク１台からの音声を受信し、記録部１１０に録音する。
【００６０】
なお、本実施例ではカメラ１００が同時に通信および録音可能なワイヤレスマイクの数は１台の場合を説明しているが、複数台（たとえばｎ台）の場合は、ステップＳ６０３において、無線通信可能なワイヤレスマイクがｎ台より多くある場合、ステップＳ６０４に進み、ｎ台以下の場合、ステップＳ６０７に進めばよい。また、ステップＳ６０５において、カメラ１００の画角内に位置するワイヤレスマイクの中で距離が最も大きい順にｎ台のワイヤレスマイクを録音対象として選択すればよい。
【００６１】
以上説明したように、本実施例の音声録音機能付きカメラ１００では、画角外のワイヤレスマイクは録音の必要性が低いと判断した。さらに、近くに位置するワイヤレスマイクの音声信号は内蔵マイクで録音可能であるため録音の必要性が低いと判断した。よって、画角内に位置する通信可能なワイヤレスマイクのうち、最も距離の大きいワイヤレスマイクを録音対象として自動で選択した。
【実施例４】
【００６２】
図８は、本発明の第４の実施例による、音声録音機能付きカメラ１００が録音対象のワイヤレスマイクを選択するフローチャートを示す図である。
【００６３】
ステップＳ８０１において、音声録音機能付きカメラ１００の電源がＯＮされると、ステップＳ８０２に進み、カメラ１００は無線通信可能なワイヤレスマイクを検索する。無線通信Ｉ／Ｆ１０８の仕様によっては、カメラ１００とワイヤレスマイクは事前にペアリングされている必要がある。本実施例では、カメラ１００とワイヤレスマイク２００、３００、４００は事前にペアリングされており、お互いに通信可能であるとする。
【００６４】
次に、ステップＳ８０３に進み、カメラ１００と無線通信可能なワイヤレスマイクが複数ある場合、ステップＳ８０４に進み、１台だけの場合、ステップＳ８０７に進む。
【００６５】
ステップＳ８０４では、カメラ１００は無線通信Ｉ／Ｆ１０８により各ワイヤレスマイクとの距離を測定する。本実施例では、カメラ１００はＧＰＳ取得部１１１よりカメラ１００の位置情報を取得することが可能である。また、ワイヤレスマイク２００はＧＰＳ取得部２０２よりワイヤレスマイクの位置情報を取得することが可能である。よって、カメラ１００はワイヤレスマイク２００からＧＰＳ取得部２０２により取得したワイヤレスマイクの位置情報を受信することにより、カメラ１００とワイヤレスマイク２００の距離を測定することが可能となる。
【００６６】
次に、ステップＳ８０５に進み、カメラ１００の撮像方向検知部１１２により検知された撮像方向と、カメラ１００およびワイヤレスマイク２００のＧＰＳによる位置情報から、ワイヤレスマイク２００がカメラ１００の撮像部１０５の画角内に入っているかどうかを判別する。
【００６７】
ここで、ワイヤレスマイク２００がカメラ１００の画角内に入っているかどうかを判別する方法は、実施例３で図７を用いて説明したとおりである。
【００６８】
カメラ１００の画角内に位置するワイヤレスマイクを選択対象として、選択対象の中からカメラ１００が得る現在フォーカス距離と最も近い距離を持つワイヤレスマイクを選択する。
【００６９】
次に、ステップＳ８０６に進み、カメラ１００の録音開始が入力部１０３により指示されると、ステップＳ８０７に進み、ステップＳ８０５で選択したワイヤレスマイク１台からの音声を受信し、記録部１１０に録音する。
【００７０】
なお、本実施例ではカメラ１００が同時に通信および録音可能なワイヤレスマイクの数は１台の場合を説明しているが、複数台（たとえばｎ台）の場合は、ステップＳ８０３において、無線通信可能なワイヤレスマイクがｎ台より多くある場合、ステップＳ８０４に進み、ｎ台以下の場合、ステップＳ８０７に進めばよい。また、ステップＳ８０５において、カメラ１００の画角内に位置するワイヤレスマイクの中で現在フォーカス距離と最も近い順にｎ台のワイヤレスマイクを録音対象として選択すればよい。
【００７１】
以上説明したように、本実施例の音声録音機能付きカメラ１００では、画角外のワイヤレスマイクは録音の必要性が低いと判断した。さらに、ワイヤレスマイクにフォーカスが合っていない場合、録音の必要性が低いと判断し、フォーカスの最も合っている通信可能なワイヤレスマイクを録音対象として自動で選択した。
【符号の説明】
【００７２】
１００  カメラ、２００  ワイヤレスマイク、１０１  ＣＰＵ、１０２  メモリ、
１０３  入力部、１０４  撮像画像処理部、１０５  撮像部、１０６  ディスプレイ、
１０８  無線通信Ｉ／Ｆ（インターフェース）、１０９  内部バス、１１０  記録部
【図１】
2016009950.tif 000003
【図２】
2016009950.tif 000004
【図３】
2016009950.tif 000005
【図４】
2016009950.tif 000006
【図５】
2016009950.tif 000007
【図６】
2016009950.tif 000008
【図７】
2016009950.tif 000009
【図８】
2016009950.tif 000010